(57)【要約】【課題】半導体レーザーの駆動時に、光学的ノイズ低減のための高周波重畳電流や記録時のライトストラテージのためのスイッチング電流によって大きな不要輻射ノイズが輻射するため、シールドが必要であった。【解決手段】半導体レーザーに流す電流に重畳されて不要輻射ノイズの元になる高周波重畳信号や、記録時のライトストラテージによるスイッチング信号にジッターを与えることによってスペクトラムを拡散し、不要輻射ノイズのピーク値を下げる。【選択図】図１
2006012199.tif 000002
【特許請求の範囲】
【請求項１】
レーザー発光素子にドライブ電流を供給するレーザードライバーと、前記ドライブ電流に高周波信号を重畳する高周波重畳回路と、前記高周波重畳回路で重畳する高周波信号にジッターを与えるジッター付加回路とを備えたことを特徴とするレーザー駆動装置。
【請求項２】
レーザー発光素子と、前記レーザー発光素子の光を光ディスクに集光して照射する光学系と、前記レーザー発光素子にドライブ電流を供給するレーザードライバーと、前記レーザー発光素子のドライブ電流にに高周波信号を重畳する高周波重畳回路と、前記高周波重畳回路の高周波信号にジッターを与えるジッター付加回路とを備えたことを特徴とする光学式ヘッド。
【請求項３】
レーザー発光素子と、前記レーザー発光素子の発光量をモニターする光検出器と、前記レーザー発光素子の光を光ディスクに集光して照射する光学系と、前記レーザー発光素子にドライブ電流を供給するレーザードライバーと、前記光検出器の出力に応じて前記レーザードライバーの電流値を制御する制御回路と、前記レーザー発光素子のドライブ電流に高周波信号を重畳する高周波重畳回路と、前記高周波重畳回路の高周波信号にジッターを与えるジッター付加回路とを備えたことを特徴とする光ディスクドライブ装置。
【請求項４】
容量値が印加電圧によって変わる可変容量ダイオードと、発振周波数が前記可変容量ダイオードの容量値に依存する高周波発振回路を有し、前記ジッター付加回路は前記可変容量ダイオードの印加電圧にジッターを与えることによって前記高周波発振回路の発振周波数を周波数変調することを特徴とする請求項１記載のレーザー駆動装置、または請求項２記載の光学式ヘッド、または請求項３記載の光ディスクドライブ装置。
【請求項５】
リング状に入力と出力を結合した奇数個のインバータで構成された高周波発振回路を有し、前記ジッター付加回路は前記インバータの電源電圧または電源電流にジッターを加えることによって前記高周波発振回路の発振周波数を周波数変調することを特徴とする請求項１記載のレーザー駆動装置、または請求項２記載の光学式ヘッド、または請求項３記載の光ディスクドライブ装置。
【請求項６】
ゲートまたはベースが他方のドレインまたはコレクターと接続された２つのＦＥＴ（フィールドエフェクトトランジスター）またはバイポーラトランジスターと前記２つのトランジスターのソースまたはエミッターの間に接続されたコンデンサーと、前記２つのトランジスターのソースまたはエミッターに電流を与える電流供給源を有する高周波発振回路を有し、前記ジッター付加回路は前記電流供給源の電流値にジッターを加えることによって前記高周波発振回路の発振周波数を周波数変調することを特徴とする請求項１記載のレーザー駆動装置、または請求項２記載の光学式ヘッド、または請求項３記載の光ディスクドライブ装置。
【請求項７】
レーザー発光素子にドライブ電流を供給するレーザードライバーと、記録時の記録パルスを発生させるライトストラテージ発生回路と、前記ライトストラテージ信号にジッターを与えるジッター付加回路とを備えたことを特徴とするレーザー駆動装置。
【請求項８】
レーザー発光素子と、前記レーザー発光素子の光を光ディスクに集光して照射する光学系と、前記レーザー発光素子にドライブ電流を供給するレーザードライバーと、記録時の記録パルスを発生させるライトストラテージ発生回路と、前記ライトストラテージ信号にジッターを与えるジッター付加回路とを備えたことを特徴とする光学式ヘッド。
【請求項９】
レーザー発光素子と、前記レーザー発光素子の発光量をモニターする光検出器と、前記レーザー発光素子の光を光ディスクに集光して照射する光学系と、前記レーザー発光素子にドライブ電流を供給するレーザードライバーと、前記光検出器の出力に応じて前記レーザードライバーの電流値を制御する制御回路と、記録時の記録パルスを発生させるライトストラテージ発生回路と、前記ライトストラテージ信号にジッターを与えるジッター付加回路とを備えたことを特徴とする光ディスクドライブ装置。
【請求項１０】
記録クロックと同じかまたは整数倍のライトストラテージのためのクロックを発生するＰＬＬ（フェーズロックドループ）を有し、前記ジッター付加回路は前記ＰＬＬのループフィルタにジッターを加えることによって前記ライトストラテージのためのクロックを周波数変調することを特徴とする請求項７記載のレーザー駆動装置、または請求項８記載の光学式ヘッド、または請求項９記載の光ディスクドライブ装置。
【請求項１１】
ライトストラテージ信号を発生させるためにディレイラインを有し、前記ジッター付加回路は前記ディレイラインの電源電圧または電源電流にジッターを与えることによって前記ディレイラインの出力を周波数変調することを特徴とする請求項７記載のレーザー駆動装置、または請求項８記載の光学式ヘッド、または請求項９記載の光ディスクドライブ装置。
【請求項１２】
光ディスクのトラックウォブル信号を逓倍して記録クロックを発生するＰＬＬを有し、前記ジッター付加回路は前記ＰＬＬのループフィルタにジッターを加えることことによって前記記録クロックを周波数変調することを特徴とする請求項７記載のレーザー駆動装置、または請求項８記載の光学式ヘッド、または請求項９記載の光ディスクドライブ装置。
【請求項１３】
クロックをカウントするカウンタと、前記カウンタの値をアナログ値に変換するデジタルアナログ変換手段を有するジッター信号発生回路を有し、前記ジッター信号発生回路の出力を前記ジッター付加回路に加えることを特徴とする請求項１または請求項７記載のレーザー駆動装置、または、請求項２または請求項８記載の光学式ヘッド、または、請求項３または請求項９記載の光ディスクドライブ装置。
【発明の詳細な説明】
【技術分野】
【０００１】
本発明は、コンパクトディスクやＤＶＤ等の光ディスクにレーザー光を照射してデータを再生または記録するためのレーザー駆動装置、光学式ヘッド、および光ディスクドライブ装置に関するものである。
【背景技術】
【０００２】
最近では光ディスクドライブ装置のレーザー発光素子には小型、低消費電力の理由で半導体レーザーが用いられているが、半導体レーザーを光ディスクドライブ装置の光源として用いたとき、光ディスクからの反射光により半導体レーザーのレーザー発振モードが干渉されて光学的ノイズが生じる。このような半導体レーザーに生ずる光学的ノイズ低減方法としては、高周波電流駆動回路からの高周波の交流電流を直流電流と重畳して半導体レーザーに流す高周波電流重畳方法が知られている。しかし、高周波電流を重畳すると大きな不要輻射ノイズが発生するという問題があった。
【０００３】
また、光ディスクに記録する場合、半導体レーザーに流す電流をライトストラテージと呼ばれる駆動波形でスイッチングするので、レーザー発光素子が半導体レーザーであるないにかかわらず、そのスイッチングの基本波および高調波が大きな不要輻射ノイズになるという問題もあった。
【０００４】
従来から、その不要輻射ノイズを低減する方法として、特許文献１や特許文献２に記載されたものがある。
【０００５】
特許文献１は、半導体レーザーと、電子回路部と、電子回路部を実装し半導体レーザーと電気的に接続された回路基板と、回路基板に実装された電子回路部を囲む導電性材料の筐体と、半導体レーザーより発光される光ビームを集光し光スポットをディスク上に照射する対物レンズを駆動してフォーカス、トラッキング方向に追従させる対物レンズ駆動装置と、半導体レーザー、回路基板、筐体および対物レンズ駆動装置を搭載した基台と、トラバースベースと、基台に対して摺動自在でありトラバースベースに固定されたシャフトで構成され、筐体がシールド機能とともにシャフトに対して付勢力を作用させるバネ部を備えたものである。
これによれば、筐体がシールド機能とともにシャフトに対して付勢力を作用させるバネ部を有することを特徴としており、筐体のシールド機能によって不要輻射ノイズを低減している。
【０００６】
特許文献２は、フレキシブルプリント配線板と、受発光面が前記フレキシブルプリント配線板の裏面側に向き、前記フレキシブルプリント配線板の表面側に端子部により取り付けられた受発光素子と、前記フレキシブルプリント配線板に実装された高周波重畳回路と、シールドケースを備えた構造であって、前記受発光素子部のフレキシブルプリント配線板の表面側に前記シールドケースが前記受発光素子の受発光面の反対側及び端子を覆い隠すように取り付けられ、前記受発光素子部と前記高周波重畳回路部のフレキシブルプリント配線板の表面側同士が向かい合うように曲げられ、前記高周波重畳回路を含む付近の前記フレキシブルプリント配線板が前記シールドケース内に位置しており、前記フレキシブルプリント配線板のうち前記受発光素子と高周波重畳回路の間のフレキシブルプリント配線板がシールドケース内に位置することを特徴とするフレキシブルプリント配線板ユニットである。
これによれば、受発光素子を、フレキシブルプリント配線板に対し裏面側に向けて取り付け、表面側で固定し、さらにフレキシブルプリント配線板を表面側が内側になるよう屈曲させてシールドケース内に配置させることで、不要輻射を減らしている。
【０００７】
しかし、いずれの場合もシールドすることによって不要輻射ノイズが外部に放射されないようにするものであるため、機構的な制約が発生し、シールドするためのコストがかかるという欠点があった。
【特許文献１】特開平１１−１５４３３４号公報
【特許文献２】特開２０００−３２２７５４号公報
【発明の開示】
【発明が解決しようとする課題】
【０００８】
解決しようとする問題点は、不要輻射ノイズを低減するために従来はシールドが必要であって、そのために機構的な制約が発生し、シールドするためのコストがかかるという点である。
【課題を解決するための手段】
【０００９】
本発明は、半導体レーザーに流す電流に重畳されて不要輻射ノイズの元になる高周波重畳信号や、記録時のライトストラテージによるスイッチング信号にジッターを与えることによってスペクトラムを拡散し、不要輻射ノイズのピーク値を低減することを最も主要な特徴とする。
【発明の効果】
【００１０】
本発明のレーザー駆動装置、光学式ヘッド、および光ディスクドライブ装置は、高周波重畳信号や記録時のライトストラテージによるスイッチング信号にジッターを与えるため、不要輻射ノイズのスペクトラムが拡散し、輻射のピークレベルが低減するため、シールドが不要になり、そのために機構的な制約がなくなり、シールドするためのコストも不要になってコスト低減できるという利点がある。
【発明を実施するための最良の形態】
【００１１】
不要輻射ノイズのピークレベルを低減させるために、再生時および記録時の記録マーク非形成時は高周波重畳回路の出力波形にジッターを付加し、記録時はライトストラテージ発生回路の出力波形にジッターを付加して不要輻射ノイズのスペクトラムを拡散させることにより、シールドなしで不要輻射ノイズの低減を実現した。
【実施例１】
【００１２】
図１は、本発明の光ディスクドライブ装置の第１の実施例のブロック図であり、１は光ディスク、２は光学ヘッド、３はレーザー駆動装置、４は光学系、５は半導体レーザー、６は光検出器、７は高周波重畳回路、８はレーザードライバー、９は高周波発振回路、１０はジッター付加回路、１１はジッター信号発生回路、１２は制御回路である。
【００１３】
このように構成された光ディスクドライブ装置において、半導体レーザー５から発光された光は光学系４で集光されて光ディスク１に照射される。半導体レーザー５から発光された光の内の一部は発光パワーの制御用モニター信号として光検出器６で電気信号に変換され、制御用モニター信号が定められた値になるように制御回路１２によって制御され、レーザー駆動装置３を通して半導体レーザー５を駆動する。レーザー駆動装置３は、レーザードライバー８、高周波重畳回路７、高周波発振回路９、ジッター付加回路１０、ジッター信号発生回路で構成されており、後述（図１３〜図１６）のジッター信号発生回路１１で発生したジッターがジッター付加回路１０によって高周波発振回路９で発生する高周波信号を周波数変調しジッターが与えらる。
【００１４】
図２は、本発明の装置に用いる高周波信号へのジッター付加方法の第１の実施例で、９は高周波発振回路、１０はジッター付加回路、１１はジッター信号発生回路であり、Ｑ１はトランジスター、Ｒ１〜４は抵抗、Ｃ１〜４はコンデンサー、Ｌ１はコイル、Ｄ１は可変容量ダイオードである。Ｑ１はコレクター接地型増幅器としてコレクターは電源に接続され、エミッターには負荷抵抗Ｒ１が接続され、ベースにはＲ２とＲ３の抵抗分割でバイアス電圧が与えられ、Ｌ１は直流カット用コンデンサーＣ３を経由してＣ１とＣ２の直列回路とで共振回路が構成され、Ｑ１のエミッターからＣ１とＣ２の間に帰還するコルピッツ型発振回路を構成しており、Ｌ１には更に直流カット用コンデンサーＣ４を経由して可変容量ダイオードＤ１の静電容量がＣ１とＣ２の直列容量に並列に共振回路に付加されている。Ｄ１はＲ４を経由してジッター発生回路１１の出力が加えられており、ジッター信号に応じてＤ１の容量値が変化するため、共振周波数が変化してジッター信号で高周波信号が周波数変調される。
また、ここでは発振回路はコルピッツ型で説明したが、ハートレー型でもよく、接地型はコレクター接地型で説明したが、エミッタ接地型でもベース接地型でもよく、トランジスターはバイポーラトランジスターで説明したが、ＦＥＴでもその他の増幅素子でも同様である。
【００１５】
図３は、本発明の装置に用いる高周波信号へのジッター付加方法の第２の実施例で、９は高周波発振回路、１０はジッター付加回路、１１はジッター信号発生回路であり、１３、１４、１５はインバータ、Ｃ５、Ｃ６、Ｃ７はコンデンサ、１６はインバータドライブ回路である。インバータ１３、インバータ１４、インバータ１５はそれぞれの出力が次段の入力にリング状に接続され、それぞれの出力には遅延用のＣ１、Ｃ２、Ｃ３が接続され、電源はインバータドライブ回路１６に接続されており、このように奇数個のインバータがリング状に接続されていると、各インバータの遅延の総和が位相遅れ１８０度になる周波数で発振する発振回路を構成している。インバータドライブ回路１６はジッター付加回路１０に相当し、インバータ１３、インバータ１４、インバータ１５に対して可変の電源電流または電源電圧を与えており、その電源電流が大きい場合はその電流とＣ５、Ｃ６、Ｃ７による遅延が小さく、電源電流が小さいと遅延が大きい。電源電圧を与えている場合はインバータ１４、インバータ１５のオン抵抗が電源電圧によって変化することによって、電源電圧が高い場合はオン抵抗が小さいためそのオン抵抗とＣ５、Ｃ６、Ｃ７による遅延が小さく、電源電圧が低いとオン抵抗が高いため遅延が大きい。ここで遅延用のＣ５、Ｃ６、Ｃ７を書いてあるが、インバータ１３、インバータ１４、インバータ１５の寄生の入力ゲート容量を用いれば特別には必要はない。インバータドライブ回路１６にジッター信号発生回路の出力で供給される電源電流または電源電圧を変化させると、位相遅れが１８０度になる周波数が変化するのでジッター信号で高周波信号が周波数変調される。
【００１６】
図４は、本発明の装置に用いる高周波信号へのジッター付加方法の第３の実施例で、９は高周波発振回路、１０はジッター付加回路、１１はジッター信号発生回路であり、Ｑ２、Ｑ３、Ｑ４、Ｑ５、Ｑ６はＮチャンネルのＭＯＳ型ＦＥＴ、Ｒ５、Ｒ６、Ｒ７、Ｒ８は抵抗、Ｃ８はコンデンサーであり、Ｑ２、Ｑ３、Ｒ５、Ｒ６、Ｃ８でソース結合型マルチバイブレータと呼ばれる高周波発振回路９が構成され、Ｑ２、Ｑ３に供給される電流はＱ４、Ｑ５の電流源で供給されており、その電流値はＲ７とＱ６に流れる電流がＱ４、Ｑ５のミラー回路でミラーされており、そのミラー電流とＣ８の容量値で発振周波数が決まる。ジッター発生回路１１の出力はＲ８を介してＲ７とＱ６の間に電流を流し込むため、Ｒ８がジッター付加回路１０となり、ジッター信号によって変化するミラー電流によって発振周波数が決まるのでジッター信号で高周波信号が周波数変調される。
ここで、実施例はＮチャンネルのＭＯＳ型ＦＥＴで説明したが、ＰチャンネルのＭＯＳ型ＦＥＴであっても、ジャンクション型ＦＥＴであっても、バイポーラトランジスターであっても同様に構成可能である。
【００１７】
図５は、本発明の効果の説明図であり、横軸は周波数、縦軸は輻射電界強度である。１７は従来の高周波重畳する高周波にジッターを与えない場合の輻射レベルであり、重畳周波数に大きなピークを発生する。１８は本発明の重畳周波数にジッターを与えて周波数変調をかけた場合の輻射レベルで、スペクトラムが分散するためピークレベルが下がり、他機器への妨害が著しく低減され、シールドが不要あるいは簡略化ができる。
【実施例２】
【００１８】
図６は、本発明の光ディスクドライブ装置の第２の実施例のブロック図であり、１は光ディスク、２は光学ヘッド、３はレーザー駆動装置、４は光学系、５は半導体レーザー、６は光検出器、８はレーザードライバー、１０はジッター付加回路、１１はジッター信号発生回路、１２は制御回路、２１はライトストラテージ発生回路、２２は記録信号発生回路である。
【００１９】
図７は、ライトストラテージの説明図で、（ａ）は記録信号、（ｂ）は記録クロック、（ｃ）はライトストラテージ出力である。ここで記載したライトストラテージはオーバーライト型の波形で、マークを形成する部分がマルチパルス、マークを形成しないスペース部が消去パワーの信号が発生している。
【００２０】
図６と図７を用いて光ディスク１への記録時の動作を説明する。まず、記録信号発生回路２２から記録信号（ａ）と記録クロック（ｂ）が出力され、ライトストラテージ発生回路２１に入力されると、光ディスク１に記録するときの半導体レーザー５の光出力波形の元になるライトストラテージ出力（ｃ）がライトストラテージ発生回路２１から出力される。ライトストラテージ出力（ｃ）はレーザードライバー５に入力され、半導体レーザー５を駆動して光学系４を通してディスク１に照射され、記録信号が記録される。半導体レーザー５から出力される光の一部は発光パワーの制御用モニター信号として光検出器６で電気信号に変換され、制御用モニター信号が定められた値になるように制御回路１２によって制御される。更に、ライトストラテージ出力（ｃ）によるレーザードライブ電流のスイッチングによって大きな不要輻射ノイズが発生するのを防ぐためにジッター信号発生回路１１でジッター信号が発生し、ジッター付加回路１０でライトストラテージ出力（ｃ）にジッターが付加されて、不要輻射ノイズのスペクトラムが拡散されてピークレベルが下がる。
【００２１】
図８は、本発明の光ディスクドライブ装置に用いるライトストラテージ出力へのジッター付加方法の第１の実施例で、１１はジッター信号発生回路、２３は位相比較器、２４はループフィルタ、２５は加算器、２６は電圧制御発振器である。図８において、記録信号発生回路２２からの記録クロック（ｂ）と電圧制御発振器２６の出力が位相比較器２３に入力されて位相比較され、その出力がループフィルター２４と加算器２５を経由して電圧制御発振器２６に入力されるので、電圧制御発振器２６の出力は記録クロック（ｂ）に位相ロックされた信号となるＰＬＬを構成している。このとき、ジッター信号発生回路１１からのジッター信号が加算器２５でループフィルター２４の出力に加算されるので、電圧制御発振器２６の出力はジッターを有した信号となる。この信号を元にライトストラテージ信号を生成するとライトストラテージ信号にもジッターが付加される。
ここで、ライトストラテージ発生回路２１が記録クロックの整数倍のクロックを必要とするならば、電圧制御発振器２６の出力を分周器で分周して位相比較器２３に入力すれば記録クロックの分周比倍のクロックを得ることができる。
【００２２】
図９は、本発明の光ディスクドライブ装置に用いるライトストラテージ出力へのジッター付加方法の第２の実施例で、１１はジッター信号発生回路、３１はディレイライン、３２は位相比較器、３３はループフィルタ、３４は加算器、３５はディレイラインドライブ回路、３６はライトストラテージ制御回路、３７は選択ゲート回路であり、ディレイライン３１はｎ個のディレイ用バッファーから構成されて全ディレイ用バッファーを通すと、記録クロック（ｂ）の約１周期だけ遅延するようになっている。例えば記録クロック（ｂ）の周期を３０ｎｓ、１個のディレイ用バッファーの遅延時間を０．３ｎｓとすると、ｎ＝１００の個数のディレイ用バッファーを通すとちょうど記録クロック（ｂ）の１周期分遅れることになる。
【００２３】
図１０は、図９のブロック図の説明図で、（０）はディレイライン３１の入力信号で記録クロック（ｂ）と同じであり、（１）、（２）、．．．（ｎ−１）、（ｎ）はそれぞれ括弧内の段数のディレイ用バッファーを通した出力信号で、（ｐ）は位相比較器３２からの位相比較出力である。ｎ個のディレイラインを通した時の遅延時間がちょうど記録クロック（ｂ）の１周期分遅れている場合は位相比較出力（ｐ）は出力されず、遅延時間が小さくて４１のように進んだ場合は位相比較出力（ｐ）は４２のように負が出力され、遅延時間が大きくて４３のように遅れた場合は４４のように正が出力される。
【００２４】
図９と図１０を用いて動作を説明すると、位相比較器３２の位相比較出力（ｐ）はループフィルタ３２で平滑され、加算器３４を通してディレイラインドライブ回路３５に供給され、ディレイライン３１のディレイ用バッファーの電源電圧が制御される。このように構成すると、ディレイ用バッファーの遅延時間が小さい場合は位相比較出力（ｐ）に負が出力されて、ディレイラインドライブ回路３５からの電圧が下がってディレイ用バッファーの遅延時間が大きくなり、また、ディレイ用バッファーの遅延時間が大きい場合は位相比較出力（ｐ）に正が出力されて、ディレイラインドライブ回路３５からの電圧が上がってディレイ用バッファーの遅延時間が小さくなるというフィードバックループを構成して、いつもディレイライン３１の出力が記録クロック（ｂ）に対して１周期遅れになるように制御される。このようにすることによって高速クロックを使用せずにライトストラテージ用の任意の遅延波形を得ることができ、ライトストラテージ制御回路３６で記録信号（ａ）に応じて必要なライトストラテージ波形を決め、ディレイライン３１からの、どの遅延からどの遅延までのパルスをライトストラテージ出力（ｃ）として出力するかを選択ゲート回路３７で選択ゲートして出力される。このとき、ジッター信号発生回路１１からのジッター出力を加算器３４でループフィルタ３３の出力に加算することによってディレイラインドライブ回路を経由してディレイライン３１にジッターが付加されて、ライトストラテージ出力（ｃ）にジッターが付加される。
【実施例３】
【００２５】
図１１は、本発明の光ディスクドライブ装置の第３の実施例のブロック図であり、１は光ディスク、２は光学ヘッド、４は光学系、５は半導体レーザー、６は光検出器、８はレーザードライバー、１０はジッター付加回路、１１はジッター信号発生回路、１２は制御回路、２１はライトストラテージ発生回路、２２は記録信号発生回路であり、記録のためのライトストラテージ発生回路２１を光学ヘッド２の中ではなく、光ディスクドライブ装置の回路ブロック側に置いた例である。
【００２６】
ライトストラテージ出力にジッターを付加する方法は、図８の方法、図９の方法も用いることができるが、更に第３の方法として図１２の方法を用いることができる。
【００２７】
図１２は本発明の光ディスクドライブ装置に用いるライトストラテージ出力へのジッター付加方法の第３の実施例で、１１はジッター信号発生回路、５１はウォブル信号検出回路、５２は位相比較器、５３はループフィルタ、５４は加算器、５５は電圧制御発振器、５６は分周器である。図１２において、トラッキング誤差を示すトラッキングエラー信号がウォブル信号検出回路５１に入力され、トラッキングエラー信号に含まれるトラックウォブル信号が２値化されて位相比較器５２に入力され、電圧制御発振器５５を分周器５６で分周した出力と位相比較され、ループフィルタ５３で平滑化され、加算器５４を通して電圧制御発振器５５に入力されるＰＬＬ回路が構成されており、トラックウォブルに同期した記録クロックを発生させる。例えば１つのトラックウォブル当たりに１８６個の記録クロックを発生させる場合は分周器５６の分周比を１８６に設定する。このようにして発生した記録クロックに図８の方法を用いてジッターを付加することもできるが、図１２の実施例のようにジッター発生回路１１のジッター信号を加算器５４でループフィルタ５３の出力に加算することによって、直接ジッターを付加された記録クロックを得ることができる。
【００２８】
図１３は本発明の装置に用いるジッター信号発生回路１１の第１の実施例のブロック図で、６１はアップダウンカウンタ、６２は最大値検出回路、６３は０値検出回路、６４はセット、リセット型のフリップフロップ、６５はデジタルアナログ変換器である。
【００２９】
図１４は本発明の装置に用いるジッター信号発生回路１１の第１の実施例（図１３）の説明図で、アップダウンカウンタ６１の出力の図であり、６６はアップダウンカウンタ６１の最大値、６７はアップダウンカウンタ６１の０値である。
【００３０】
図１３と図１４を用いて本実施例のジッター信号発生回路１１の動作を説明する。まず、アップダウンカウンタ６１には、高周波発振回路の出力や、記録クロックや、あるいは水晶で発振するシステムクロック等のクロックが入力され、最初はクロックでアップカウントされて値が上がっていき、最大値６６に到達すると、最大値検出回路６２で最大値であることが検出され、フリップフロップ６４のＳ（セット）端子に入力され、フリップフロップ６４がセットされ、その出力はアップダウンカウンタ６１のアップダウン切り換え入力端子に入力されてダウンカウントに切り替わる。そうすると次はクロックでダウンカウントされて値が下がっていき、０値６７に到達すると０値検出回路６３で０値であることが検出され、フリップフロップ６４のＲ（リセット）端子にされ、フリップフロップ６４がリセットされ、その出力はアップダウンカウンタ６１のアップダウン切り換え入力端子に入力されてアップカウントに切り替わる。このようにしてアップダウンカウンタ６１からはデジタル信号の三角波が出力され、デジタルアナログ変換器６５でアナログ信号の三角波に変換され、その三角波がジッター信号として用いられる。
【００３１】
図１５は本発明の装置に用いるジッター信号発生回路１１の第２の実施例のブロック図であり、６８はカウンタ、６５はデジタルアナログ変換器である。
【００３２】
図１６は本発明の装置に用いるジッター信号発生回路１１の第２の実施例の説明図で、カウンタ６８の出力の図であり、６６はカウンタ６８の最大値、６７はカウンタ６８の０値である。
【００３３】
図１５と図１６を用いて本実施例のジッター信号発生回路１１の動作を説明する。まず、カウンタ６８には、高周波発振回路の出力や、記録クロックや、あるいは水晶で発振するシステムクロック等のクロックが入力され、最初はクロックでアップカウントされて値が上がっていき、最大値６６に到達すると、次のクロックでオーバーフローして０値になり、それを繰り返してカウンタ６８からはデジタル信号の鋸歯状波が出力され、デジタルアナログ変換器６５でアナログ信号の鋸歯状波に変換され、その鋸歯状波信号がジッター信号として用いられる。
【００３４】
ここで、図１３および図１５に用いるデジタルアナログ変換器６５は、１ビット入力、２値出力のデジタルアナログ変換器であってもよい。
また、ジッター信号発生回路１１の構成としては、クロックをカウンタで分周して、アナログ的またはデジタル的な低域通過フィルタを通した信号をジッター信号として用いることができるし、デジタルアナログ変換器６５の出力の１ビット毎のステップを避けるために低域通過フィルタを追加して滑らかなジッター信号を得ることもできる。
また、カウンタ６８の出力を疑似乱数変換してからデジタルアナログ変換器６５に入力することによって、周波数の偏移をランダムにして、規則的な信号によるビートの影響を排除することも可能である。
【産業上の利用可能性】
【００３５】
レーザー発光素子をドライブする装置またはレーザー発光素子をドライブする装置を備える装置であって、そのドライブ電流に高周波重畳したものやスイッチング駆動するものであれば、光ディスクドライブ装置に限らず、通信装置やデータ読み取り用装置等のあらゆる用途にも適用できる。
【図面の簡単な説明】
【００３６】
【図１】本発明の光ディスクドライブ装置の第１の実施例のブロック図である。
【図２】本発明の装置に用いる高周波信号へのジッター付加方法の第１の実施例である。
【図３】本発明の装置に用いる高周波信号へのジッター付加方法の第２の実施例である。
【図４】本発明の装置に用いる高周波信号へのジッター付加方法の第３の実施例である。
【図５】本発明の効果の説明図である。
【図６】本発明の光ディスクドライブ装置の第２の実施例のブロック図である。
【図７】ライトストラテージの説明図である。
【図８】本発明の装置に用いるライトストラテージ出力へのジッター付加方法の第１の実施例のブロック図である。
【図９】本発明の装置に用いるライトストラテージ出力へのジッター付加方法の第２の実施例のブロック図である。
【図１０】本発明の装置に用いるライトストラテージ出力へのジッター付加方法の第２の実施例の説明図である。
【図１１】本発明の光ディスクドライブ装置の第３の実施例のブロック図である。
【図１２】本発明の装置に用いるライトストラテージ出力へのジッター付加方法の第３の実施例のブロック図である。
【図１３】本発明の装置に用いるジッター信号発生回路の第１の実施例のブロック図である。
【図１４】本発明の装置に用いるジッター信号発生回路の第１の実施例の説明図である。
【図１５】本発明の装置に用いるジッター信号発生回路の第２の実施例のブロック図である。
【図１６】本発明の装置に用いるジッター信号発生回路の第２の実施例の説明図である。
【符号の説明】
【００３７】
１    光ディスク
２    光学ヘッド
３    レーザー駆動装置
４    光学系
５    半導体レーザー
６    光検出器
７    高周波重畳回路
８    レーザードライバー
９    高周波発振回路
１０    ジッター付加回路
１１    ジッター信号発生回路
１２    制御回路
１３、１４、１５    インバータ
１６    インバータドライブ回路
２１    ライトストラテージ発生回路
２２    記録信号発生回路
２３    位相比較器
２４    ループフィルタ
２５    加算器
２６    電圧制御発振器
３１    ディレイライン
３２    位相比較器
３３    ループフィルタ
３４    加算器
３５    ディレイラインドライブ回路
３６    ライトストラテージ制御回路
３７    選択ゲート回路
５１    ウォブル信号検出回路
５２    位相比較器
５３    ループフィルタ
５４    加算器
５５    電圧制御発振器
５６    分周器
６１    アップダウンカウンタ
６２    最大値検出回路
６３    ０値検出回路
６４    フリップフロップ
６５    デジタルアナログ変換器
６８    カウンタ
【図１】
2006012199.tif 000003
【図２】
2006012199.tif 000004
【図３】
2006012199.tif 000005
【図４】
2006012199.tif 000006
【図５】
2006012199.tif 000007
【図６】
2006012199.tif 000008
【図７】
2006012199.tif 000009
【図８】
2006012199.tif 000010
【図９】
2006012199.tif 000011
【図１０】
2006012199.tif 000012
【図１１】
2006012199.tif 000013
【図１２】
2006012199.tif 000014
【図１３】
2006012199.tif 000015
【図１４】
2006012199.tif 000016
【図１５】
2006012199.tif 000017
【図１６】
2006012199.tif 000018